(57)【要約】従来技術の電機子においては回転軸に付加的な部材を取り付けて、整流子を、回転軸から整流子に達することになる液体に対して保護している。本発明に基づく電機子（１）は整流子（２）に凹所（７）を有し、凹所が沿面流バリア（１５）を備え、沿面流バリアが整流子（２）の薄板（４）への液体（２３）の到達を阻止するようになっている。
2004517600.tif 000002
【特許請求の範囲】
【請求項１】
電気的な機械のための電機子であって、
少なくとも回転軸及び整流子から成っており、
整流子が少なくとも支持体から成っていて、かつ回転軸に配置されている形式のものにおいて、
支持体（３）が端面（１０）を有しており、該端面（１０）が液体（２３）のための少なくとも１つの沿面流バリア（１５）を有していることを特徴とする電機子。
【請求項２】
支持体（３）の端面（１０）が、少なくとも１つの凹所（７）を有しており、該凹所（７）が表面（１３）に液体（２３）のための少なくとも１つの沿面流バリア（１５）を有している請求項１記載の電機子。
【請求項３】
凹所（７）が楔状又はＵ字形に形成されている請求項２記載の電機子。
【請求項４】
沿面流バリア（１５）がねじ状の切欠き（１９）によって形成されている請求項２記載の電機子。
【請求項５】
沿面流バリア（１５）が、端面（１０）に設けられた突起（２５）によって形成されている請求項１記載の電機子。
【請求項６】
沿面流バリア（１５）が、表面（１３）に設けられた突起（２５）によって形成されている請求項２記載の電機子。
【請求項７】
沿面流バリア（１５）が、端面（１０）内に入り込んだリング（２７）によって形成されている請求項１記載の電機子。
【請求項８】
沿面流バリア（１５）が、表面（１３）内に入り込んだリング（２７）によって形成されている請求項２記載の電機子。
【請求項９】
支持体（３）が少なくとも１つの貯蔵部（２９）を有しており、該貯蔵部内に液体（２３）が貯蔵されるようになっている請求項１又は２記載の電機子。
【請求項１０】
支持体（３）に少なくとも１つの薄板（４）が配置されている請求項１又は２記載の電機子。
【請求項１１】
沿面流バリア（１５）が、毛管現象を生ぜしめるように形成されている請求項１又は２記載の電機子。
【請求項１２】
支持体（３）が穴（５）を有しており、該穴内に回転軸（２１）が配置されており、凹所（７）が穴（５）を半径方向（１１）に拡大している請求項２記載の電機子。
【発明の詳細な説明】
【０００１】
背景技術
本発明は、電気的な機械のための請求項１の上位概念に記載の形式の電機子に関する。
【０００２】
日本国特許出願公開第０７０６７２８２号明細書により公知の電機子の整流子は、端面に凹所（凹設部）を有している。軸受けから整流子への液体の沿面流が特別に、液体を吸収する付加的な材料によって阻止されるようになっている。
【０００３】
日本国特許出願公開第０８１７２７５３号明細書に記載に整流子は、付加的な部材を有しており、該部材が整流子を軸受けからの油に対して保護しようとするものである。該部材によてって、整流子を備える電機子の軸方向の構造長さが増大させられることになる。
【０００４】
日本国特許出願公開第０９２８５０６０号明細書に、回転軸に整流子を備える電機子が記載されており、この場合、回転軸に油受け部材を配置してあり、油受け部材が軸受けから整流子への油の到達を阻止するようになっている。このような付加的な部材は、日本国特許出願公開第１０２２５０４６号明細書及び米国特許第６００８５５７号明細書にも記載してある。
【０００５】
米国特許第３７９３５４３号明細書に記載の電機子も、電気的なモータの構造部分を軸受けからの油に対して保護するために付加的な部材を必要としている。
【０００６】
発明の利点
請求項１に記載の特徴を有する本発明に基づく電機子においては利点として、簡単な形式で整流子が液体から保護されている。
【０００７】
従属請求項に記載の手段によって、請求項１に記載の電機子の有利な改良及び実施態様が可能である。
【０００８】
凹所の有利な構成が、楔形又はＵ字形によって得られる。
【０００９】
沿面流バリアが、凹所の表面内のねじ状の切欠きによって形成されると有利である。
【００１０】
沿面流バリアの有利な別の構成が、凹所の表面に設けられた突起によって得られる。
【００１１】
端面内若しくは凹所の表面内に射出成形、鋳造成形若しくは圧入によって入り込むリングの使用が、同じく有利であり、それというのはリングが簡単な構造部分であり、かつ圧入過程が簡単に実施されるものであるからである。
【００１２】
有利には、整流子の支持体が液体の貯蔵のための少なくとも１つの貯蔵部（リザーバー）を有しており、貯蔵部からは液体はもはや凹所の表面に達することはない。貯蔵部が凹所の表面上での液体膜の増大を防止している。液体膜が表面上で増大すると、液体の一部分が整流子の薄板に達することになる。
【００１３】
実施例の説明
本発明の実施例を図面に概略的に示して、以下に詳細に説明する。
【００１４】
図１ａは本発明に基づく電機子１を部分的に示しており、電機子が少なくとも整流子２及び回転軸２１を有しており、前記整流子自体がおおよそ支持体３及び実施例では少なくとも１つの薄板４から成っている。薄板４がフック１７を有しており、該フックを通って、薄板積層体の巻線のための線材（図示せず）が延びている。整流子２が、外部から巻線への電流供給に役立っている。このような電機子１は例えば電気的な機械、例として電気的なモータ若しくはジェネレータに用いられる。
【００１５】
支持体３が貫通の穴５を有しており、該穴内に、電気的な機械の回転軸２１が配置して取り付けられている。支持体３が、軸方向の中心軸線９を有している。支持体３の端面１０、図示の実施例では薄板４のフック１７と逆の側の端面に、少なくとも１つの凹所７を形成してある。図示の実施例では１つの凹所を設けてある。凹所７は断面で見て種々の形状を有していてよく、実施例ではＵ字形に構成されている。凹所７は例えば楔形を有していてよい。凹所７は実施例では穴５を半径方向１１に拡大するものである。凹所７は、該凹所が半径方向１１で穴５に直接には接続しておらず、穴５から見て端面１０の一部分が存在していて、次いで凹所７が始まるように構成されていてよい。凹所７の表面１３に少なくとも１つの沿面流バリア１５を配置してある。沿面流バリア１５がここではリング状（環状）の切欠き１９によって形成されている。切欠き（ノッチ）１９が任意の方向に支持体３内へ延びている。沿面流バリア１５は支持体３の製作過程時に形成されてよい。
【００１６】
図１ｂが支持体３の端面１０を示している。凹所７の表面１３が例えば３つの沿面流バリア１５を有している。凹所７はＵ字形に形成されているので、この図面では直径の異なる円形の３つのリング切欠き１５，１９が存在している。切欠き１９は例えば次のように、即ち該切欠き１９の近くに達した液体が毛管現象に基づき切欠き内に引き込まれてそこに保持されるように、形成されている。
【００１７】
図２ａが、本発明に基づく電機子１の第２の実施例を示している。Ｕ字形又は台形に形成された凹所７内に、ねじを切り込んであり、該ねじが沿面流バリア１５として役立つ。
【００１８】
図２ｂに、本発明に基づく図２ａの電機子１の、軸方向９で見た平面が示してある。凹所７が穴５に向かって先細になっているので、ねじ状の切欠き１９が表面１３で螺旋形状を成している。図２ａに回転軸２１が図示してあり、該回転軸に液体２３が付着しており、該液体は例えば油であり、該油は回転軸２１の軸受けから漏れたものである。液体２３は従来技術の整流子では回転軸を介して整流子に、次いで端面を介して薄板４に到達することになる。液体２３が腐食性のものであると、整流子２、特に薄板４の機能を妨げることになる。本発明に基づく電機子１は凹所７を有しており、液体２３がまず前記凹所内へ流動する。表面１３に沿った薄板４への液体２３の引き続く移動（沿面流又は表面漏れ）が沿面流バリア１５によって阻止されるのであり、沿面流バリアが毛管現象によって液体２３を切欠き１９内に引き込むように形成されている。
【００１９】
図３に、本発明に基づく電機子１の別の実施例が示されている。少なくとも１つの沿面流バリア１５が、ここでは表面１３の突起２５によって形成されている。液体２３にとって、突起２５を乗り越えることは困難であり、従って液体２３は凹所７から薄板４に到達できない。２つの突起２５を互いに接近して設けて、該突起間に凹所を形成して、該凹所が液体２３に対する毛管現象を生ぜしめるようにしてよい。突起２５は環状に構成されている。
【００２０】
図４は本発明に基づく電機子１のさらに別の実施例を示している。沿面流バリア１５がリング２７によって形成されており、該リングが例えばアングル状に構成されていて、凹所７から薄板４への液体２３の到達を困難にしており、それというのはアングル状のリングの一方の脚部が支持体３内に入り込んでいるのに対して、他方の脚部が回転軸２１に向けられているからである。複数のリングを設けてあってよい。リング２７は支持体３内に例えば圧入され、若しくは鋳造成形、又は射出成形されている。
【００２１】
図５は本発明に基づく電機子１のさらに別の実施例を示している。支持体３は凹所７を有していない。沿面流バリア１５が端面１０に形成されており、該端面がいわば凹所７の表面１３に相応する。沿面流バリア１５は図１、図３若しくは図４の実施例に類似して形成されていてよい。
【００２２】
図６は本発明に基づく電機子１のさらに別の実施例を示している。図１又は５と比較して、該電機子１の本発明に基づく整流子２は、液体のための更に少なくとも１つの貯蔵部２９を有しており、該貯蔵部内に液体２３が補集される。例えば液体２３が凹所７の表面１３に達すると、該液体は、適切に形成された沿面流バリア１５若しくは切欠き１９によって毛管現象に基づき吸い込まれて貯蔵部２９内に達するようになっており、該貯蔵部は切欠き１９よりも明らかに大きな直径又は横断面を有するものである。貯蔵部２９からは液体２３はほとんど漏れ出るものではない。貯蔵部２９は、適当な深さの切欠きによって形成されてもよい。
【図面の簡単な説明】
【図１ａ】
本発明に基づき構成された電機子の実施例の部分的な断面図。
【図１ｂ】
図１ａの実施例の平面図。
【図２ａ】
本発明に基づき構成された電機子の別の実施例の部分的な断面図。
【図２ｂ】
図２ａの実施例の平面図。
【図３】
本発明に基づき構成された電機子のさらに別の実施例の部分的な断面図。
【図４】
本発明に基づき構成された電機子のさらに別の実施例の部分的な断面図。
【図５】
本発明に基づき構成された電機子のさらに別の実施例の部分的な断面図。
【図６】
本発明に基づき構成されて液体貯蔵部を備える電機子の部分的な断面図。
【符号の説明】
１  電機子、  ２  整流子、  ３  支持体、  ４  薄板、  ５  穴、  ７  凹所、  ９  中心軸線、  １０  端面、  １１  半径方向、  １３  表面、  １５  沿面流バリア、  １７  フック、  １９  切欠き、  ２１  回転軸、  ２３  液体、  ２５  突起、  ２７  リング、  ２９  貯蔵部
【国際公開パンフレット】
2004517600.tif 000003
2004517600.tif 000004
2004517600.tif 000005
2004517600.tif 000006
2004517600.tif 000007
2004517600.tif 000008
2004517600.tif 000009
2004517600.tif 000010
2004517600.tif 000011
2004517600.tif 000012
2004517600.tif 000013
2004517600.tif 000014
2004517600.tif 000015
2004517600.tif 000016
2004517600.tif 000017
2004517600.tif 000018
2004517600.tif 000019
【国際公開パンフレット（コレクトバージョン）】
2004517600.tif 000020
2004517600.tif 000021
【国際調査報告】
2004517600.tif 000022
2004517600.tif 000023
2004517600.tif 000024
2004517600.tif 000025